(57)【要約】【課題】  カメラ装置全体のコストを大幅に低減し、迅速に撮影対象を捉えることができるカメラ装置を提供する。【解決手段】  本考案のカメラ装置は、固定式カメラ装置のレンズ前に可動式の鏡体を設置し、該鏡体の背面に該鏡体の鏡面反射角度を制御することができる制御座体を設け、該制御座体は少なくとも中心回転軸を備えた支持アームと、第一回転軸を備えた縦方向回転装置及び第二回転軸を備えた横方向回転装置を含み、且つ、該鏡体背面の中心、上または下のうちいずれかの側及び左右いずれかの側にそれぞれ回転軸座体を設け、該回転軸座体に該制御座体の中心回転軸、第一及び第二回転軸を対応して軸支し、これにより、大幅にカメラ装置全体のコストを低減することができ、且つ、迅速に映像を捉えることができる。【選択図】  図１
0003109867.tif 000002
【実用新案登録請求の範囲】
【請求項１】
固定式カメラ装置のレンズ前に可動式鏡体を設置し、該鏡体の背面に該鏡体の鏡面反射角度を制御することができる制御座体を設けたカメラ装置であって、
該制御座体上に少なくとも支持アーム、縦方向回転装置、横方向回転装置、鏡体が設けられ、そのうち、該支持アームは該制御座体底部表面に設置され、その上部に中心回転軸が設置され、該中心該回転軸がさらに該鏡体背面の中心点に軸設され、該縦方向回転装置は、その上部にモータが設置され、該モータ下方で回転棒が回転され、該回転棒の一端は第一回転軸の一端に軸支され、該第一回転軸の別の一端は、該鏡体背面の左右いずれかの側の中心点に対応して軸支されると共に、該回転棒の底部にセンサ装置が設置され、該回転棒が回動すると該センサ装置が同時に変化し、状態値の変化の大小によりＸ軸の移動位置を知ることができ、該横方向回転装置は、その片側にモータが設置され、該モータの片側で回転棒が回転され、該回転棒の一端は第二回転軸の一端に軸支され、該第二回転軸の別の一端が、該鏡体背面の上下いずれかの側の中心点に対応して軸支されると共に、該回転棒の別の側にセンサ装置が設置され、該回転棒が回動すると該センサ装置が同時に変化し、状態値の変化の大小によりＹ軸の移動位置を知ることができると共に、前記鏡体は、その背面の中心、上または下のうちいずれかの側及び左右いずれかの側にそれぞれ回転軸座体が設置され、前記制御座体の中心回転軸、第一回転軸、第二回転軸がそれぞれ対応して軸支されることを特徴とする、カメラ装置。
【請求項２】
前記センサ装置が、可変抵抗器、マイクロスイッチまたはエンコーダ等のうちのいずれかである、請求項１に記載のカメラ装置。
【請求項３】
前記鏡体が、反射鏡角度の必要に合わせ、平面鏡または凸面鏡、或いは凹面鏡等のうちのいずれかである、請求項１に記載のカメラ装置。
【考案の詳細な説明】
【技術分野】
【０００１】
本考案はカメラ装置に関し、詳細には、カメラ装置全体のコストを大幅に低減することができ、且つ、迅速に撮影対象を捉えることができるカメラ装置に関する。
【背景技術】
【０００２】
目まぐるしい社会の変遷と、都市の密度が上昇し続ける中、犯罪の比率もまた上昇を続け、現代は商店や住宅のどれもが次の犯罪のターゲットになる可能性がある。相対的に、多くの薄暗い小道が治安の死角になっており、人々の生命や財産の安全を確保するため、街角や商店、銀行、ビル等各所に監視装置が設置されている。これらの監視装置は、犯罪者の犯罪意図を抑制できるだけでなく、犯罪者の様子を録画し、事件後の警察の捜査に役立たせることができる。
【０００３】
一般的な従来の監視カメラシステムは可動式であり、カメラ装置の底部に方向を自在に変化させることのできる回転座体が設置されているが、このようなカメラ装置は高価であるだけでなく、体積も大きくて重く、一定期間使用すると、経常的な回動が回転座体を磨耗させ、メンテナンスや修理のコストが発生し、また、カメラ装置そのものが大きすぎるため、回転時の速度が遅くなりすぎ、このような機械構造ではカメラの撮影範囲から簡単に逃れることができ、治安の一大死角が形成されてしまう。
【考案の開示】
【考案が解決しようとする課題】
【０００４】
上述の従来の可動式カメラ装置における欠点に鑑みて、本考案の考案者は、その該項産業における長年の経験に基づき研究を重ね、カメラ装置の改良構造を開発し、大幅にカメラ装置全体のコストを低減し、迅速に撮影対象を捉えることができるカメラ装置の改良に成功した。
【０００５】
本考案の主な目的は、カメラ装置全体のコストを大幅に低減し、迅速に撮影対象を捉えることができるカメラ装置を提供することにある。
【課題を解決するための手段】
【０００６】
上述の目的を達するため、本考案のカメラ装置は、固定式カメラ装置のレンズ前に可動式の鏡体を設置し、該鏡体の背面に該鏡体の鏡面反射角度を制御することができる制御座体を設け、該制御座体は少なくとも中心回転軸を備えた支持アームと、第一回転軸を備えた縦方向回転装置及び第二回転軸を備えた横方向回転装置を含み、且つ、該鏡体背面の中心、上または下のうちいずれかの側及び左右いずれかの側にそれぞれ回転軸座体を設け、該回転軸座体に該制御座体の中心回転軸、第一及び第二回転軸を対応して軸支する。
【考案の効果】
【０００７】
本考案に係るカメラ装置は、以上より、大幅にカメラ装置全体のコストを低減することができ、且つ、迅速に映像を捉えることができる。
【考案を実施するための最良の形態】
【０００８】
図１、図２及び図３に本考案の使用状態を示す立体図、分解図及び組み立て図をそれぞれ示す。図に示すように、該カメラ装置は、固定式カメラ装置１のレンズ前に可動式鏡体２を設置し、該鏡体２の背面に該鏡体２の鏡面反射角度を制御することができる制御座体３（図１に示す）を設ける。該制御座体３上には、少なくとも支持アーム３１、縦方向回転装置３２、横方向回転装置３３、該鏡体２が設置される。
【０００９】
該支持アーム３１は、該制御座体３底部表面に設置され、その上部に中心回転軸３１１が設置され、該中心該回転軸３１１がさらに該鏡体２背面の中心点に軸設される。
【００１０】
該縦方向回転装置３２は、その上部にモータ３２１が設置され、該モータ３２１下方で回転棒３２２が回転され、該回転棒３２２の一端は第一回転軸３２３の一端に軸支され、該第一回転軸３２３の別の一端は、該鏡体２背面の左右いずれかの側の中心点に対応して軸支され、さらに、該回転棒３２２の底部にはセンサ装置３２４が設置され、該回転棒３２３が回動すると該センサ装置３２４が同時に変化し、状態値の変化の大小によりＸ軸の移動位置を知ることができる。
【００１１】
該横方向回転装置３３は、その片側にモータ３３１が設置され、該モータ３３１の片側で回転棒３３２が回転され、該回転棒３３２は一端が第二回転軸３３３の一端に軸支され、該第二回転軸３３３の別の一端が、該鏡体２背面の上下いずれかの側の中心点に対応して軸支され、さらに、該回転棒３３２の別の側にセンサ装置３３４が設置され、該回転棒３３２が回動すると該センサ装置３３４が同時に変化し、状態値の変化の大小によりＹ軸の移動位置を知ることができる。
【００１２】
前記鏡体２は、その背面の中心、上または下のうちいずれかの側及び左右いずれかの側にそれぞれ回転軸座体２１、２２、２３が設置され、前記制御座体３の中心回転軸３１、第一回転軸３２３、第二回転軸３３３がそれぞれ対応して軸支される。さらに、該鏡体２は反射鏡角度の必要に応じ、平面鏡または凸面鏡、或いは凹面鏡等のうちのいずれかとすることができる。
【００１３】
本考案の構造設計により、該鏡体２はマイクロコンピュータの制御下で周期的に反射角度を調整することができ、且つ、縦方向回転装置３２及び横方向回転装置３３で鏡体２を調整すると同時に、前記センサ装置３２４、３３４が変化した数値を即時にフィードバックし、マイクロコンピュータにＸ軸、Ｙ軸の位置変化を確実に知らせ、精確に鏡体２を制御して映像を捉える角度を微調整することができる（該センサ装置は、可変抵抗器やマイクロスイッチ、エンコーダ等のうちのいずれかとすることができる）。これにより、該カメラ装置は、その底部の回転座体を省くことができるだけでなく、従来の回転座体がカメラ装置の重量と経常的な回動により磨耗することに起因するメンテナンス費の発生を防ぐことができ、また、本考案で応用する鏡体はその重量が軽く、カメラ装置全体のコストを大幅に低減できると共に、迅速に撮影対象を捉えることができる。
【００１４】
上述のように、本考案のカメラ装置の構造は創造的であり、実用性と利用上の特性、価値を備えており、新規性、進歩性及び改良性を兼ね備え、完全に実用新案登録請求の要件を満たすものであるため、ここに実用新案登録を請求するものである。
【００１５】
以上、本考案について最良の実施例に基づき説明してきたが、上述の実施例は本考案の実施の範囲を制限するものではなく、該項関連技術を熟知した者により本考案の要旨を逸脱しない範囲において実施し得る変更や修飾もすべて本考案に基づく変更や修飾とみなし、本考案に含まれるものとする。よって本考案は、実用新案登録請求の範囲により制限される。
【図面の簡単な説明】
【００１６】
【図１】本考案の使用状態を示す立体図である。
【図２】本考案の立体分解図である。
【図３】本考案の立体組み立て図である。
【符号の説明】
【００１７】
１      カメラ装置
２      鏡体
２１、２２、２３    回転軸座体
３      制御座体
３１    支持アーム
３１１  中心回転軸
３２    縦方向回転装置
３２１  モータ
３２２  回転棒
３２３  第一回転軸
３２４  センサ装置
３３    横方向回転装置
３３１  モータ
３３２  回転棒
３３３  第二回転軸
３３４  センサ装置
【図１】
0003109867.tif 000003
【図２】
0003109867.tif 000004
【図３】
0003109867.tif 000005